(57)【特許請求の範囲】
【請求項１】
時間同期ワイヤレス通信システムにおいて近隣基地局をスキャンするための方法であって、前記方法はモバイル局によってインプリメントされており、前記方法は、
フレームの間にサブキャリアサブセットにおいてサービング基地局によって送信されるサービング基地局のプリアンブルインデクスを検出することと、
前記サービング基地局のための信号品質測定値を決定するために前記検出されるサービング基地局のプリアンブルインデクスを使用することと、
同じフレームの間に送信される別のサブキャリアサブセットにおいて近隣基地局によって送信される少なくとも１つの近隣基地局のプリアンブルインデクスを検出することと、
前記近隣基地局のための信号品質測定値を決定するために前記検出される近隣基地局のプリアンブルインデクスを使用することと、
を備える方法。
【請求項２】
前記少なくとも１つの近隣の基地局のプリアンブルインデクスが検出されるとき、前記現在のサービング基地局で、特別な基地局スキャニング持続時間を前記モバイル局がまだ確立していない、請求項１に記載の方法。
【請求項３】
前記近隣基地局のための前記信号品質測定値が前記サービング基地局のための前記信号品質測定値を超える場合には、前記近隣基地局へのハンドオーバーをイニシエートすること、
をさらに備える請求項１に記載の方法。
【請求項４】
各サブキャリアサブセットを個別に処理すること、
をさらに備える請求項１に記載の方法。
【請求項５】
前記ワイヤレス通信システムにおける各基地局は、同期フレームタイミングを有する、請求項１に記載の方法。
【請求項６】
前記サービング基地局のプリアンブルインデクスと前記少なくとも１つの近隣基地局のプリアンブルインデクスは同時に送信される、請求項１に記載の方法。
【請求項７】
前記ワイヤレス通信システムにおける各基地局は、複数のサブキャリアサブセットのうちのただ１つのサブキャリアサブセットの上で固有のプリアンブルインデクスを送信する、請求項１に記載の方法。
【請求項８】
前記近隣基地局のための前記信号品質測定を決定することは、前記モバイル局に知られている、送信された近隣基地局のプリアンブルインデクス及びサブキャリアサブセットで、前記検出される近隣基地局のプリアンブルインデクスを相関することを備えている、請求項１に記載の方法。
【請求項９】
前記サービング基地局のための前記信号品質測定を決定することは、前記モバイル局に知られている、送信されたサービング基地局のプリアンブルインデクス及びサブキャリアサブセットで、前記検出されるサービング基地局のプリアンブルインデクスを相関することを備えている、請求項１に記載の方法。
【請求項１０】
前記少なくとも１つの近隣基地局のプリアンブルインデクスを検出することは、利用可能なサブキャリアサブセットにおいて前記少なくとも１つの近隣基地局のプリアンブルインデクスを試みることを備え、
特定のサブキャリアサブセットにおいて特定の近隣基地局のプリアンブルインデクスを検出すると、ハンドオーバーが生じない限り前記知られているサブキャリアサブセット上で相関器において前記検出される近隣基地局のプリアンブルインデクスを使用して、プリアンブル信号強度を測定することを継続すること、
をさらに備える請求項１に記載の方法。
【請求項１１】
前記サービング基地局のプリアンブルインデクスを検出することは、利用可能なサブキャリアサブセットにおいて前記サービング基地局のプリアンブルインデクスを試みることを備え、
特定のサブキャリアサブセットにおいて前記サービング基地局のプリアンブルインデクスを検出すると、ハンドオーバーが生じない限り前記知られているサブキャリアサブセット上で相関器において前記検出されるサービング基地局のプリアンブルインデクスを使用してプリアンブル信号強度を測定することを継続すること、
をさらに備える請求項１に記載の方法。
【請求項１２】
時間同期ワイヤレス通信システムにおいて近隣基地局をスキャンするために構成されたモバイル局であって、
プロセッサと、
前記プロセッサと電子通信しているメモリと、
前記メモリにおいて保存される命令と、
を備え、前記命令は、
フレームの間にサブキャリアサブセットにおいてサービング基地局によって送信されるサービング基地局のプリアンブルインデクスを検出することと、
前記サービング基地局のための信号品質測定値を決定するために前記検出されるサービング基地局のプリアンブルインデクスを使用することと、
同じフレームの間に送信される別のサブキャリアサブセットにおいて近隣基地局によって送信される少なくとも１つの近隣基地局のプリアンブルインデクスを検出することと、
前記近隣基地局のための信号品質測定値を決定するために前記検出される近隣基地局のプリアンブルインデクスを使用することと、
がプロセッサによって実行可能である、
モバイル局。
【請求項１３】
前記少なくとも１つの近隣の基地局のプリアンブルインデクスが検出されるとき、前記現在のサービング基地局で、特別な基地局スキャニング持続時間を前記モバイル局がまだ確立していない、請求項１２に記載のモバイル局。
【請求項１４】
前記命令はまた、前記近隣基地局のための前記信号品質測定値が前記サービング基地局のための前記信号品質測定値を超える場合には、前記近隣基地局へのハンドオーバーをイニシエートすることが実行可能である、請求項１２に記載のモバイル局。
【請求項１５】
前記命令はまた、各サブキャリアサブセットを個別に処理することが実行可能である、請求項１２に記載のモバイル局。
【請求項１６】
前記ワイヤレス通信システムにおける各基地局は、同期フレームタイミングを有する、請求項１２に記載のモバイル局。
【請求項１７】
前記サービング基地局のプリアンブルインデクスと前記少なくとも１つの近隣基地局のプリアンブルインデクスは同時に送信される、請求項１２に記載のモバイル局。
【請求項１８】
前記ワイヤレス通信システムにおける各基地局は、複数のサブキャリアサブセットのうちのただ１つのサブキャリアサブセットの上で固有のプリアンブルインデクスを送信する、請求項１２に記載のモバイル局。
【請求項１９】
前記近隣基地局のための前記信号品質測定を決定することは、前記モバイル局に知られている、送信された近隣基地局のプリアンブルインデクス及びサブキャリアサブセットで、前記検出される近隣基地局のプリアンブルインデクスを相関することを備えている、請求項１２に記載のモバイル局。
【請求項２０】
前記サービング基地局のための前記信号品質測定を決定することは、前記モバイル局に知られている、送信されたサービング基地局のプリアンブルインデクス及びサブキャリアサブセットで、前記検出されるサービング基地局のプリアンブルインデクスを相関することを備えている、請求項１２に記載のモバイル局。
【請求項２１】
前記少なくとも１つの近隣基地局のプリアンブルインデクスを検出することは、利用可能なサブキャリアサブセットにおいて前記少なくとも１つの近隣基地局のプリアンブルインデクスを試みることを備えており、前記命令はまた、特定のサブキャリアサブセットにおいて特定の近隣基地局のプリアンブルインデクスを検出すると、ハンドオーバーが生じない限り前記知られているサブキャリアサブセット上で相関器において前記検出される近隣基地局のプリアンブルインデクスを使用してプリアンブル信号強度を測定することを継続することが実行可能である、請求項１２に記載のモバイル局。
【請求項２２】
前記サービング基地局のプリアンブルインデクスを検出することは、利用可能なサブキャリアサブセットにおいて前記サービング基地局のプリアンブルインデクスを試みることを備えており、前記命令はまた、特定のサブキャリアサブセットにおいて前記サービング基地局のプリアンブルインデクスを検出すると、ハンドオーバーが生じない限り前記知られているサブキャリアサブセット上で相関器において前記検出されるサービング基地局のプリアンブルインデクスを使用してプリアンブル信号強度を測定することを継続することが実行可能である、請求項１２に記載のモバイル局。
【請求項２３】
時間同期ワイヤレス通信システムにおいて近隣基地局をスキャンするために構成されたモバイル局であって、
フレームの間にサブキャリアサブセットにおいてサービング基地局によって送信されるサービング基地局のプリアンブルインデクスを検出するための手段と、
前記サービング基地局のための信号品質測定値を決定するために前記検出されるサービング基地局のプリアンブルインデクスを使用するための手段と、
同じフレームの間に送信される別のサブキャリアサブセットにおいて近隣基地局によって送信される少なくとも１つの近隣基地局のプリアンブルインデクスを検出するための手段と、
前記近隣基地局のための信号品質測定値を決定するために前記検出される近隣基地局のプリアンブルインデクスを使用するための手段と、
を備えるモバイル局。
【請求項２４】
前記少なくとも１つの近隣の基地局のプリアンブルインデクスが検出されるとき、前記現在のサービング基地局で、特別な基地局スキャニング持続時間を前記モバイル局がまだ確立していない、請求項２３に記載のモバイル局。
【請求項２５】
前記近隣基地局のための前記信号品質測定値が前記サービング基地局のための前記信号品質測定値を超える場合には、前記近隣基地局へのハンドオーバーをイニシエートするための手段、
をさらに備える請求項２３に記載のモバイル局。
【請求項２６】
各サブキャリアサブセットを個別に処理するための手段、
をさらに備える請求項２３に記載のモバイル局。
【請求項２７】
前記ワイヤレス通信システムにおける各基地局は同期フレームタイミングを有する、請求項２３に記載のモバイル局。
【請求項２８】
前記サービング基地局のプリアンブルインデクスと前記少なくとも１つの近隣基地局のプリアンブルインデクスは同時に送信される、請求項２３に記載のモバイル局。
【請求項２９】
前記ワイヤレス通信システムにおける各基地局は、複数のサブキャリアサブセットのうちのただ１つのサブキャリアサブセットの上で固有のプリアンブルインデクスを送信する、請求項２３に記載のモバイル局。
【請求項３０】
前記近隣基地局のための前記信号品質測定を決定するための手段は、前記モバイル局に知られている、送信された近隣基地局のプリアンブルインデクス及びサブキャリアサブセットで、前記検出される近隣基地局のプリアンブルインデクスを相関するための手段を備えている、請求項２３に記載のモバイル局。
【請求項３１】
前記サービング基地局のための前記信号品質測定を決定するための手段は、前記モバイル局に知られている、送信されたサービング基地局のプリアンブルインデクス及びサブキャリアサブセットで、前記検出されるサービング基地局のプリアンブルインデクスを相関するための手段を備えている、請求項２３に記載のモバイル局。
【請求項３２】
前記少なくとも１つの近隣基地局のプリアンブルインデクスを検出するための手段は、利用可能なサブキャリアサブセットにおいて前記少なくとも１つの近隣基地局のプリアンブルインデクスを試みるための手段を備え、
特定のサブキャリアサブセットにおいて特定の近隣基地局のプリアンブルインデクスを検出すると、ハンドオーバーが生じない限り前記知られているサブキャリアサブセット上で相関器において前記検出される近隣基地局のプリアンブルインデクスを使用してプリアンブル信号強度を測定することを継続するための手段、
をさらに備える請求項２３に記載のモバイル局。
【請求項３３】
前記サービング基地局のプリアンブルインデクスを検出するための手段は、利用可能なサブキャリアサブセットにおいて前記サービング基地局のプリアンブルインデクスを試みるための手段を備え、
特定のサブキャリアサブセットにおいて前記サービング基地局のプリアンブルインデクスを検出すると、ハンドオーバーが生じない限り前記知られているサブキャリアサブセット上で相関器において前記検出されるサービング基地局のプリアンブルインデクスを使用してプリアンブル信号強度を測定することを継続するための手段、
をさらに備える請求項２３に記載のモバイル局。
【請求項３４】
モバイル局によって時間同期ワイヤレス通信システムにおいて近隣基地局をスキャンするためのコンピュータプログラムプロダクトであって、前記コンピュータプログラムプロダクトは、命令を有しているコンピュータ可読媒体を備えており、前記命令は、
フレームの間にサブキャリアサブセットにおいてサービング基地局によって送信されるサービング基地局のプリアンブルインデクスを検出するためのコードと、
前記サービング基地局のための信号品質測定値を決定するために前記検出されるサービング基地局のプリアンブルインデクスを使用するためのコードと、
同じフレームの間に送信される別のサブキャリアサブセットにおいて近隣基地局によって送信される少なくとも１つの近隣基地局のプリアンブルインデクスを検出するためのコードと、
前記近隣基地局のための信号品質測定値を決定するために前記検出される近隣基地局のプリアンブルインデクスを使用するためのコードと、
備える、
コンピュータプログラムプロダクト。
【請求項３５】
前記少なくとも１つの近隣の基地局のプリアンブルインデクスが検出されるとき、前記現在のサービング基地局で、特別な基地局スキャニング持続時間を前記モバイル局がまだ確立していない、請求項３４に記載のコンピュータプログラムプロダクト。
【請求項３６】
前記命令は、前記近隣基地局のための前記信号品質測定値が前記サービング基地局のための前記信号品質測定値を超える場合には、前記近隣基地局へのハンドオーバーをイニシエートするためのコード、をさらに備える、請求項３４に記載のコンピュータプログラムプロダクト。
【発明の詳細な説明】
【技術分野】
【０００１】
本開示は、一般的には通信システムに関する。より具体的には、本開示は、時間同期ワイヤレス通信システムにおいて近隣基地局をスキャンするための方法及び装置に関する。
【背景】
【０００２】
ここにおいて使用されているように、用語「モバイル局(mobile station)」は、ワイヤレス通信システム上の音声及び/またはデータ通信のために使用されることができる電子デバイスを指す。モバイル局の例は、セルラ電話、携帯情報端末(ＰＤＡ)、ハンドヘルドデバイス、ワイヤレスモデム、ラップトップコンピュータ、パーソナルコンピュータなどを含む。モバイル局は、代替的に、アクセス端末、モバイル端末、加入者局、遠隔局、ユーザ端末、端末、加入者ユニット、ユーザ機器、などで呼ばれる。
【０００３】
ワイヤレス通信システムは多数のモバイル局のために通信を供給することができ、それらの各々は基地局によってサービス提供されることができる。基地局は、代替的に、アクセスポイント、ノードＢ、あるいはいくつかの他の同様な用語で呼ばれることができる。
【０００４】
モバイル局は、アップリンク及びダウンリンク上の送信を介して、１以上の基地局と通信することができる。アップリンク(あるいは逆方向リンク)は、モバイル局から基地局までの通信リンクを指し、ダウンリンク(あるいは順方向リンク)は基地局からモバイル局までの通信リンクを指す。
【０００５】
ワイヤレス通信システムのリソース（例、帯域幅および送信パワー）は、複数のモバイル局の中で共有されることができる。様々な多元接続技術が知られており、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一搬送波周波数分割多元接続（ＳＣ−ＦＤＭＡ）、などを含む。
【０００６】
利点は、ワイヤレス通信システムのオペレーションに関連する改善された方法及び装置によって実現されることができる。
【図面の簡単な説明】
【０００７】
【図１】図１は、複数の基地局と複数のモバイル局とを備えたワイヤレス通信システムを図示する。
【図２】図２は、ＷｉＭＡＸシステムのためのフレーム構造を図示する。
【図３】図３は、複数の基地局のサービスエリア内のモバイル局を図示する。
【図４】図４は、近隣基地局のプリアンブルインデクスをスキャンすることを容易にするように構成されるモバイル局のための受信機の例を図示する。
【図５】図５は、モバイル局に対して近隣の通知メッセージを送信するサービング基地局(serving base station)を図示する。
【図６】図６は、近隣基地局のプリアンブルインデクスをスキャンするための方法を図示する。
【図７】図７は、図６の方法に対応するミーンズプラスファンクションを図示する。
【図８】図８は、本開示にしたがって構成されるワイヤレスデバイス内に含まれることができる、あるコンポーネントを図示する。
【発明の概要】
【０００８】
時間同期ワイヤレス通信システム(time synchronous wireless communication system)において近隣基地局をスキャンするための方法が開示されている。方法は、モバイル局によってインプリメントされることができる。方法は、フレームの間にサブキャリアサブセット(subcarrier subset)においてサービング基地局によって送信されるサービング基地局のプリアンブルインデクス(preamble index)を検出することを含むことができる。方法はまた、サービング基地局のための信号品質測定値(signal quality measurement)を決定するために、検出されるサービング基地局のプリアンブルインデクスを使用することを含むことができる。方法はまた、同じフレームの間に送信される別のサブキャリアサブセットにおいて、近隣基地局によって送信される少なくとも1つの近隣基地局のプリアンブルインデクスを検出することを含むことができる。方法は、さらに、近隣基地局のための信号品質測定値を決定するために、検出される近隣基地局のプリアンブルインデクスを使用することを含むことができる。
【０００９】
時間同期ワイヤレス通信システムにおいて近隣基地局をスキャンするために構成されたモバイル局が開示されている。モバイル局は、プロセッサと、そのプロセッサと電子通信しているメモリを含むことができる。命令は、メモリにおいて保存されることができる。命令は、フレームの間にサブキャリアサブセットにおいて、サービング基地局によって送信されるサービング基地局のプリアンブルインデクスを検出することが実行可能である。命令はまた、サービング基地局のための信号品質測定値を決定するために、検出されるサービング基地局のプリアンブルインデクスを使用することが実行可能である。命令はまた、同じフレームの間に送信される別のサブキャリアサブセットにおいて、近隣基地局によって送信される少なくとも1つの近隣基地局のプリアンブルインデクスを検出することが実行可能である。命令はまた、近隣基地局のための信号品質測定値を決定するために、検出される近隣基地局のプリアンブルインデクスを使用することが実行可能である。
【００１０】
時間同期ワイヤレス通信システムにおいて近隣基地局をスキャンするために構成されたモバイル局が開示されている。モバイル局は、フレームの間にサブキャリアサブセットにおいて、サービング基地局によって送信されるサービング基地局のプリアンブルインデクスを検出するための手段、を含むことができる。モバイル局はまた、サービング基地局のための信号品質測定値を決定するために、検出されるサービング基地局のプリアンブルインデクスを使用するための手段、を含むことができる。モバイル局はまた、同じフレームの間に送信される別のサブキャリアサブセットにおいて、近隣基地局によって送信される少なくとも1つの近隣基地局のプリアンブルインデクスを検出するための手段、を含むことができる。モバイル局はまた、近隣基地局のための信号品質測定値を決定するために、検出される近隣基地局のプリアンブルインデクスを使用するための手段、を含むことができる。
【００１１】
モバイル局によって、時間同期ワイヤレス通信システムにおいて近隣基地局をスキャンするためのコンピュータプログラムプロダクト(computer program product)が開示されている。コンピュータプログラムプロダクトは、命令(instructions)を有するコンピュータ可読媒体(computer-readable medium)を含むことができる。命令は、フレームの間にサブキャリアサブセットにおいて、サービング基地局によって送信されるサービング基地局のプリアンブルインデクスを検出するためのコード、を含むことができる。命令はまた、サービング基地局のための信号品質測定値を決定するために、検出されるサービング基地局のプリアンブルインデクスを使用するためのコード、を含むことができる。命令はまた、同じフレームの間に送信される別のサブキャリアサブセットにおいて、近隣基地局によって送信される少なくとも1つの近隣基地局のプリアンブルインデクスを検出するためのコード、を含むことができる。命令はまた、近隣基地局のための信号品質測定値を決定するために、検出される近隣基地局のプリアンブルインデクスを使用するためのコード、を含むことができる。
【００１２】
ある実施形態では、上記の概要が構成されることができる及び／または使用されることができるので、時間同期ワイヤレス通信システムは、電気電子技術者協会（ＩＥＥＥ）８０２．１６標準規格に対応している。
【詳細な説明】
【００１３】
ここにおいて開示される技術は、ＷｉＭＡＸシステムでインプリメントされることができる。用語「ＷｉＭＡＸ」は、ブロードバンドワイヤレスアクセス基準上の電気電子技術者協会（ＩＥＥＥ）８０２．１６ワーキンググループによって用意されている、ファミリの標準規格を指す。したがって、用語「ＷｉＭＡＸシステム」は、１以上のＷｉＭＡＸ基準に従って構成されるワイヤレス通信システムを指す。
【００１４】
モバイル局がトラヒック状態にあり、トラヒック接続をセットアップしたとき、モバイル局は、例えば近隣基地局の、受信信号強度インジケーション(ＲＳＳＩ)またはキャリア対干渉・ノイズ比(Carrier-to-Interference-plus-Noise Ratio)(ＣＩＮＲ)のような信号強度を通常モニタする。各基地局は、固有のプリアンブルインデクス(unique preamble index)を周期的に送信することができる。特定の基地局から受信されるプリアンブルインデクスを基地局(モバイル局として知られる)によって送信されたプリアンブルインデクスで相関すること(correlating)によって、モバイル局は、基地局によって送信される信号の強度を決定することができる。
【００１５】
ＷｉＭＡＸシステムでは、ハンドオーバーの性能を改善するために、異なる基地局は、同期フレームタイミングを有する。すなわち、異なる基地局は、ほとんど同時にダウンリンクフレームを送信する。
【００１６】
近隣基地局によって送信されるプリアンブルインデクスを受信するために、モバイル局は、その現在のサービング基地局で特別なスキャニング持続時間をリクエストすることができるので、モバイル局は、そのトラヒックデータ送信を、近隣基地局のプリアンブルインデクスをスキャンする前に、一時的にサスペンドすることができる。しかしながら、このことは、モバイル局にスループットを失わせる、なぜならば、モバイル局は、それがこの方法で近隣基地局のプリアンブルインデクスをスキャンしている間、通常のデータを送信するまたは受信することができないからである。
【００１７】
本開示は、ＷｉＭＡＸシステムのような時間同期ワイヤレス通信システムにおいて近隣基地局のプリアンブルインデクスをスキャンするための改善された技術に関する。ここにおいて開示される技術にしたがって、モバイル局は、少なくともいくつかの近隣基地局のプリアンブルインデクスをスキャンしこれらのプリアンブルインデクスの信号強度を測定するために、現在のサービング基地局を用いて特別なスキャニング持続時間をリクエストする必要がない。
【００１８】
図１は、複数の基地局（ＢＳ）１０２と複数のモバイル局（ＭＳ）１０４とを備えたワイヤレス通信システム１００を図示する。基地局１０２は、モバイル局１０４と通信する局である。基地局１０２は、アクセスポイント、ノードＢ、発展型ノードＢなどとも呼ばれ、また、それらの機能のうちのいくつかまたはすべてを含むことができる。各基地局１０２は、特定の地理的エリア１０６のための通信サービスエリアを提供する。用語「セル（cell）」は、用語が使用される文脈次第で、基地局１０２及び／またはそのサービスエリア１０６を指すことができる。システムキャパシティを改善するために、基地局のサービスエリア１０６は、複数のより小さいエリア、例えば３つの小さいエリア、１０８ａ、１０８ｂ、１０８ｃに区分化されることができる。各より小さなエリア１０８ａ、１０８ｂ、１０８ｃは、それぞれのベーストランシーバ局（ＢＴＳ）によってサービス提供されることができる。用語「セクタ(sector)」は、用語が使用される文脈次第で、ＢＴＳ及び／またはそのサービスエリア１０８を指すことができる。セクタ化されたセルの場合、そのセルのすべてのセクタのためのＢＴＳは、一般的には、セルのための基地局１０２内に共同配置される。
【００１９】
モバイル局１０４は、システム１００全体にわたって一般的に分散している。モバイル局１０４はまた、端末、アクセス端末、ユーザ機器、加入者ユニット、局などとも呼ばれ、そして、それらの機能のいくつかまたはすべてを含むことができる。モバイル局１０４は、セルラ電話、携帯情報端末（ＰＤＡ）、ワイヤレスデバイス、ワイヤレスモデム、ハンドヘルドデバイス、ラップトップコンピュータなどであってもよい。モバイル局１０４は、いずれの与えられた瞬間において、ダウンリンク（ＤＬ）及び／またはアップリンク（ＵＬ）上で０、１、または複数の基地局１０４と通信することができる。ダウンリンク（または順方向リンク）は基地局１０２からモバイル局１０４までの通信リンクを指し、アップリンク（または逆方向リンク）は、モバイル局１０４から基地局１０２までの通信リンクを指す。
【００２０】
集中型のアーキテクチャの場合、システムコントローラ１１０は、基地局１０２に結合することができ、これらの基地局１０２のための調整(coordination)及び制御を提供することができる。システムコントローラ１１０は、単一のネットワークエンティティ、または、ネットワークエンティティの集まりであってもよい。分散型のアーキテクチャの場合、基地局１０２は、必要なときに、互いに通信することができる。
【００２１】
上述されているように、ここにおいて開示される技術は、ＷｉＭＡＸシステムでインプリメントされることができる。ＷｉＭＡＸは、直交周波数分割多重化（ＯＦＤＭ）と直交周波数分割多元接続（ＯＦＤＭＡ）技術に基づいている。ＯＦＤＭは、様々な高速データレート通信ネットワークにおいて近年広く採択されているデジタルマルチキャリア変調技術である。ＯＦＤＭを用いて、送信ビットストリームは、複数のより低いレートのサブストリームに分割される。各サブストリームは、多元直交サブキャリア(multiple orthogonal subcarriers)のうちの１つと変調され、複数の並列サブチャネル(a plurality of parallel subchannels)のうちの１つの上で送信される。ＯＦＤＭＡは、異なるタイムスロットにおいてユーザがサブキャリアを割り当てられる多元接続技術である。ＯＦＤＭＡは、広く様々なアプリケーション、データレート、及びサービス品質の要件を備えた多くのユーザに適用することができる、フレキシブルな多元接続技術である。
【００２２】
図２は、ＷｉＭＡＸシステムのためのフレーム構造を図示する。ＷｉＭＡＸフレーム２１１は、ダウンリンクサブフレーム２１２とアップリンクサブフレーム２１６に分割される。ダウンリンク送信（すなわち、基地局１０２からモバイル局１０４までの送信）が、ダウンリンクサブフレーム２１２の間に生じる。アップリンク送信（すなわち、基地局１０４からモバイル局１０２までの送信）が、アップリンクサブフレーム２１６の間に生じる。ダウンリンクサブフレーム２１２の第１のＯＦＤＭＡシンボルは、プリアンブルインデクス２１４を送信するために使用される。プリアンブルインデクス２１４は、簡潔にプリアンブルインデクス２１４と呼ばれることができる。各基地局１０２は、固有のプリアンブルインデクス２１４を送信し、そしてそれは、モバイル局１０４によって事前に知られている。プリアンブルインデクス２１４は、時間および周波数同期と初期チャネル推定とのような物理層プロシージャに使用されることができる。
【００２３】
上で示されているように、ＷｉＭＡＸは、異なるタイムスロットにおいてユーザがサブキャリア２１８を割り当てられる多元接続であるＯＦＤＭＡを利用する。ＷｉＭＡＸ標準規格は、１つの基地局１０２がそのプリアンブルインデクス２１４を送信するためにダウンリンクサブフレーム２１２の第１のＯＦＤＭＡシンボルの利用可能なサブキャリア２１８の１／３のみを使用するということを規定する。このサブキャリア２１８の１／３は、ここにおいては「サブキャリアサブセット（subcarrier subset）」と呼ばれる。したがって、３つのサブキャリアサブセットがあり、図２においては、「１」、「２」および「３」と呼ばれる。「１」とラベル付けされたサブキャリア２１８は、第１のサブキャリアサブセットに属し、「２」とラベル付けされたサブキャリア２１８は、第２のサブキャリアサブセットに属し、また、「３」とラベル付けされたサブキャリア２１８は、第３のサブキャリアサブセットに属する。１つの基地局１０２は、サブキャリアサブセットのうちの１つ（例、示されているように、第１のサブキャリアサブセット）の上でそのプリアンブルインデクス２１４を送信する。
【００２４】
時間同期化システムでは、いくつかの近隣基地局１０２は、同じサブキャリアサブセット上でそれらのプリアンブルインデクス２１４を送信することができ、いくつかの近隣基地局１０２は、異なるサブキャリアサブセット上でそれらのプリアンブルインデクス２１４を送信することができる。したがって、モバイル局１０４は、現在のサービング基地局１０２のシンボルタイミングにしたがっていくつかの近隣基地局１０２の信号強度を測定するために、いくつかのプリアンブルインデクスを検出することができる。別の言い方をすると、サービング基地局１０２がそのプリアンブルインデクス２１４を３つのサブキャリアサブセットのうちの１つの上で送信するので、モバイル局１０４は、いまでもなお、近隣基地局のプリアンブルインデクス２１４をスキャンするために、サブキャリア２１８の残りの２／３（すなわち、他の２つのサブキャリアサブセット）を復号することができる。
【００２５】
図３は、複数の基地局３０２のサービスエリア内のモバイル局３０４を図示しており、それは、サービング基地局３０２ｄと、近隣基地局Ａ３０２ａ、近隣基地局Ｂ３０２ｂ、そして、近隣基地局Ｃ３０２ｃとラベルづけされる３つの近隣基地局３０２ａ−ｃと、を含む。各基地局３０２は、固有のプリアンブルインデクス３１４を送信する。サービング基地局３０２ｄによって送信されるプリアンブルインデクス３１４ｄは、サービング基地局のプリアンブルインデクス３１４ｄとここにおいて呼ばれる。近隣基地局３０２ａ−ｃによって送信されるプリアンブルインデクス３１４ａ−ｃは、それぞれ、プリアンブルインデクスＡ３１４ａ、プリアンブルインデクスＢ３１４ｂ、プリアンブルインデクスＣ３１４ｃと呼ばれる。
【００２６】
各基地局３０２は、３つのサブキャリアサブセット３２０のうちの１つの上でそのプリアンブルインデクス３１４を送信する。図３で示される例においては、サービング基地局のプリアンブルインデクス３１４ｄは、第１のサブキャリアサブセット３２０ａ上で送信されることができる。プリアンブルインデクスＡ３１４ａは、第２のサブキャリアサブセット３２０ｂ上で送信されることができる。プリアンブルインデクスＢ３１４ｂは、第３のサブキャリアサブセット３２０ｃ上で送信されることができる。プリアンブルインデクスＣ３１４ｃは、第１のサブキャリアサブセット３２０ａ上で送信されることができる。
【００２７】
サービング基地局３２０ｄは３つのサブキャリアサブセット３２０ａのうちの１つのみの上でそのプリアンブルインデクス３１４ｄを送信するので、モバイル局３０４は、いまだなお、いくつかの近隣基地局のプリアンブルインデクス３１４ｂ−ｃをスキャンするために、他の２つのサブキャリアサブセット３２０ｂ−ｃを復号することができる。図３で示される例では、サービング基地局のプリアンブルインデクス３１４ｄを検出することに加えて、モバイル局３０４はまた、サービング基地局３０２ｄから特別なスキャニング持続時間をリクエストすることなく、プリアンブルインデクスＡ３１４ａとプリアンブルインデクスＢ３１４ｂを検出することができる。
【００２８】
本開示は、それぞれが近隣基地局のプリアンブルインデクス３１４ａ−ｃをスキャンするためにダウンリンクフレーム２１２の第１のＯＦＤＭＡシンボル上でサブキャリア２１８のうちの１／３（すなわち、１つのサブキャリアサブセット３２０）を処理する３つのブランチがある、モバイル局３０４のための受信機アーキテクチャを提案する。
【００２９】
図４は、近隣基地局のプリアンブルインデクス３１４ａ−ｃをスキャンすることを容易にするように構成されるモバイル局３０４のための受信機４２１の例を図示する。受信機４２１は、アナログ・ツー・デジタルコンバータ４２２と、サイクリックプリフィックスを取り除くためのブロック４２４と、高速フーリエ変換（ＦＦＴ）ブロック４２６を含む。
【００３０】
ダウンリンクサブフレーム２１２の第１のＯＦＤＭＡシンボルの間、そしてそれは、基地局３０２がそれらのプリアンブルインデクス３１４を送信するとき、ＦＦＴブロック４２６は、第１のサブキャリアサブセット３２０ａ、第２のサブキャリアサブセット３２０ｂ、そして第３のサブキャリアサブセット３２０ｃを出力する。これらのサブキャリアサブセット３２０ａ、３２０ｂ、３２０ｃのそれぞれは個別に処理される。具体的には、各サブキャリアサブセット３２０ａ、３２０ｂ、３２０ｃは、相関器４３０ａ、４３０ｂ、４３０ｃに提供される。受信機４２１は、様々な基地局３０２によって送信される異なるプリアンブルインデクス３１４は何かを知ることができる。例えば、これらのプリアンブルインデクス３１４は、サービング基地局３０２ｄはモバイル局３０４に対して送信する近隣の通知メッセージに含まれることができる。
【００３１】
プリアンブルインデクス３１４の送信が図３の例で示されるように生じる場合には、第１のサブキャリアサブセット３２０ａは、サービング基地局３０２ｄのための信号品質測定４３２ｄと近隣基地局Ｃ３０２ｃのための信号品質測定４３２ｃとを決定するために、サービング基地局のプリアンブルインデクス３１４ｄとプリアンブルインデクスＣ３１４ｃで相関されることができる。第２のサブキャリアサブセット３２０ｂは、近隣基地局Ａ３０２ａのための信号品質測定４３２ａを決定するために、プリアンブルインデクスＡ３１４ａで相関されることができる。第３のサブキャリアサブセット３２０ｃは、近隣基地局Ｂ３０２ｂのための信号品質測定４３２ｂを決定するために、プリアンブルインデクスＢ３１４ｂで相関されることができる。近隣基地局Ａ３０２ａのための信号品質測定値４３２ａ、近隣基地局Ｂ３０２ｂのための信号品質測定値４３２ｂ、または、近隣基地局Ｃ３０２ｃのための信号品質測定値４３２ｃが、サービング基地局３０２ｄのための信号品質測定値４３２ｄを超える場合には、モバイル局３０４は、ハンドオーバーをイニシエートすることができる。
【００３２】
この例では、サービング基地局のプリアンブルインデクス３１４ｄとプリアンブルインデクスＣ３１４ｃの両方は、第１のサブキャリアサブセット３２０ａ上で送信される。受信機４２１は、プリアンブル持続時間のＦＦＴブロック４２６の出力を保存することができ、相関器４３０は、サービング基地局のプリアンブルインデクス３１４ｄからプリアンブルインデクスＣ３１４ｃに切り換えることができる。このことは、同じフレームの間、サービング基地局３０２ｄの測定のすぐ後で、行われることができる。しかしながら、処理速度が十分に速くない場合には（すなわち、モバイル局３０４は、１フレームの間に、サブキャリアサブセット３２０ごとに１つの基地局３０２を測定のみすることができる）、モバイル局３０４は、代わりに、基地局３０２ｃ、３０２ｄ、の信号品質を測定することができる。例えば、フレームｋにおいて、モバイル局３０４は、サービング基地局３０２ｄを測定することができる。フレームｋ＋１では、モバイル局３０４は、近隣基地局Ｃ３０２ｃを測定することができ、シーケンスは繰り返されることができる。
【００３３】
本開示は、近隣基地局３０２ａ−ｃをスキャンするために各フレームにおいて次のプロシージャを提案する。第１に、モバイル局３０４は、受信される近隣通知メッセージにおけるプリアンブルインデクス３１４（すなわち、ＭＯＢ＿ＮＢＲ−ＡＤＶ）と、サービング基地局のプリアンブルインデクス３１４ｄとを処理することができる。
【００３４】
特定のプリアンブルインデクス３１４は、サブキャリアサブセット３２０のいずれにおいても以前に検出されなかった場合、このプリアンブルインデクス３１４は、３つのサブキャリアサブセット３２０のいずれかにおいて試されることができる。プリアンブルインデクス３１４が検知することに成功した後、ハンドオーバーが生じないかぎり、それは今後このサブキャリアサブセット３２０上でとどまる。
【００３５】
プリアンブルインデクス３１４が検出されるとき、モバイル局受信機４２１は、知られたサブキャリアサブセット３２０上で相関器４３０においてそのプリアンブルインデクス３１４を使用してプリアンブル信号強度を測定することを続けることができる。このことはまた、サービング基地局のプリアンブルインデクス３１４ｄに適用される。
【００３６】
すべてのプリアンブルインデクス３１４が処理された後で、モバイル局３０４は、サービング基地局のプリアンブルインデクス３１４ｄといくつかの近隣基地局のプリアンブルインデクス３１４ａ−ｃとを含む、すべての検出されたプリアンブルインデクス３１４の信号強度を知ることができる。この情報は、ハンドオーバーの入力として使用されることができる。モバイル局３０４が、近隣の基地局３０２ａ−ｃがサービング基地局３０２ｄよりもよりよいプリアンブル信号品質を有するということを検出するとき、この近隣基地局３０２ａ−ｃへのハンドオーバーは、トリガされることができる。
【００３７】
図５は、モバイル局５０４に対して近隣の通知メッセージ５３４（例、ＭＯＢ＿ＮＢＲ−ＡＤＶ）を送るサービング基地局５０２ｄを図示する。近隣通知メッセージ５３４は、複数の隣人基地局３０２ａ−ｃについての情報５３６を含むことができる。特定の近隣基地局５０２ａ−ｃについての情報５３６に含まれているものは、近隣基地局５０２ａ−ｃによって送信されるプリアンブルインデクス５１４である。
【００３８】
ある時点で、モバイル局５０４は、近隣基地局３０２ａ−ｃのうちの１つがサービング基地局５０２ｄよりもモバイル局５０４に対してより強い信号を提供するポイント(point)に移動することができる。このことが生じる場合には、近隣通知メッセージ５３４に含まれる情報５３６は、モバイル局５０４がサービング基地局５０２ｄから適切な近隣基地局３０２ａ−ｃへのハンドオーバーをイニシエートすることを可能にすることができる。
【００３９】
図６は、近隣基地局のプリアンブルインデクス３１４ｂ−ｄをスキャンするための方法６００を図示する。方法６００は、モバイル局３０４によってインプリメントされることができる。
【００４０】
モバイル局３０４は、サービング基地局３０２ｄによって送信されているプリアンブルインデクス３１４ｄを検出することができる６０２。モバイル局３０４はまた、他のサブキャリアサブセット３２０、すなわちサービング基地局のプリアンブルインデクス３１４ｄを送信するために使用されているサブキャリアサブセット３２０以外のサブキャリアサブセット３２０、において送信されているプリアンブルインデクス３１４ａ−ｃを検出することができる６０４。
【００４１】
上記で説明される例では、モバイル局３０４は、プリアンブルインデクスＡ３１４ａとプリアンブルインデクスＢ３１４ｂを検出することができる、なぜならば、これらのプリアンブルインデクス３１４は、サービング基地局のプリアンブルインデクス３１４ｄとは異なるサブキャリアサブセット３２０上で送信されるからである。このプリアンブルインデクス３１４ｃは、サービング基地局のプリアンブルインデクス３１４ｄと同じサブキャリアサブセット３２０上で送信されるが、モバイル局３０４は、異なる時間インスタンスで、相関器において別のプリアンブルインデクスを使用することによってプリアンブルインデクスＣ３１４ｃを検出することができる。
【００４２】
モバイル局３０４はまた、検出されるプリアンブルインデクス３１４の信号強度を測定することができる６０６。このことは、モバイル局３０４に対して知られている、プリアンブルインデクス３１４で、受信されるサブキャリアサブセット３２０を相関することを含むことができる。モバイル局３０４が、近隣基地局３０２ａ−ｃからの信号品質がサービング基地局３０２ｄの信号品質よりも大きいということを決定する場合６０８、モバイル局３０４は、近隣基地局３０２ａ−ｃへのハンドオーバーをイニシエートすることができる６１０。
【００４３】
上記で説明される図６の方法６００は、図７で図示されるミーンズプラスファンクションブロック７００に対応する様々なハードウェア及び／またはソフトウェアのコンポーネント（単数又は複数）及び／モジュール（単数又は複数）によって実行されることができる。言いかえれば、図６で図示されるブロック６０２〜６１０は、図７で図示されるミーンズプラスファンクションブロック７０２〜７１０に対応している。
【００４４】
本開示は、ハンドオーバーをイニシエートするために使用されることができる、近隣基地局のプリアンブルインデクス３１４ａ−ｃをスキャンする新しいアプローチを提案する。ここにおいて開示される技術を用いると、モバイル局３０４は、少なくともいくつかの近隣基地局のプリアンブルインデクス３１４ａ−ｃをスキャンしこれらのプリアンブルインデクス３１４ａ−ｃの信号強度を測定するために、現在のサービング基地局３０２ｄで特別なスキャニング持続時間をリクエストする必要がない。したがって、データスループットは保持されることができる。ここにおいて開示される技術を用いると、各フレームの間いくつかの近隣基地局のプリアンブルインデクス３１４ａ−ｃをモニタすることが可能なので、モバイル局３０４は、ハンドオーバーのために早くチャネル条件に対応することができる。提案されるスキャン技術は、他のタイプのタイムシフトを含むことができる、他のタイプのスキャンと同時に使用されることができる。
【００４５】
上述されているように、ここにおいて開示される技術は、ＯＦＤＭとＯＦＤＭＡに基づいているＷｉＭＡＸシステムでインプリメントされることができる。しかしながら、ここにおいて開示される技術は、他のタイプのワイヤレス通信システムに使用されることができ、他のタイプの直交多重化スキームに基づいているワイヤレス通信システム、例えばシングルキャリア周波数分割多元接続（ＳＣ−ＦＤＭＡ)システム、を含む。ＳＣ−ＦＤＭＡシステムは、システム帯域幅にわたって分配されるサブキャリア上で送信するためにインタリーブされるＦＤＭＡ(interleaved FDMA)(ＩＦＤＭＡ)、隣接するサブキャリアのブロック上で送信するためにローカライズされるＦＤＭＡ(localized FDMA)(ＬＦＤＭＡ)、または、隣接するサブキャリアの複数ブロック上で送信するために強化ＦＤＭＡ(enhanced FDMA)(ＥＦＤＭＡ)、を利用することができる。
【００４６】
上述されているように、ＷｉＭＡＸ標準規格は、１つの基地局３０２がそのプリアンブルインデクス３１４を送信するために利用可能なサブキャリア２１８の１／３だけ（すなわち、１つのサブキャリアサブセット３２０）を使用するということを特定する。したがって、ＷｉＭＡＸシステムについて定義された３つのサブキャリアサブセット３２０がある。しかしながら、ここにおいて開示される技術は、異なる数のサブキャリアサブセット３２０が定義されるワイヤレス通信システムにおいて使用されることができる。Ｎ個のサブキャリアサブセット３２０は、特定のワイヤレス通信システムにおいて定義される場合、モバイル局３０４の受信機４２１は、Ｎ個のブランチを含むことができる。これらのＮ個のブランチのそれぞれは、与えられたサブキャリアサブセット３２０を処理するように構成されることができる。
【００４７】
次に図８を参照する。図８は、本開示にしたがって構成されるワイヤレスデバイス８４０内に含まれることができるあるコンポーネントを図示する。ワイヤレスデバイス８４０は、モバイル局１０４または基地局１０２であってもよい。
【００４８】
ワイヤレスデバイス８４０は、プロセッサ８４２を含む。プロセッサ８４２は、汎用のシングルチップまたはマルチチップのマイクロプロセッサ（例、ＡＲＭ）、専用マイクロプロセッサ（例、デジタルシグナルプロセッサ（ＤＳＰ））、マイクロコントローラ、プログラマブルゲートアレイ等であってもよい。プロセッサ８４２は、中央処理装置（ＣＰＵ）と呼ばれてもよい。単一のプロセッサ８４２だけが図８のワイヤレスデバイス８４０で示されているが、プロセッサの組み合わせ（例、ＡＲＭ及びＤＳＰ）も使用されることができる。
【００４９】
ワイヤレスデバイス８４０はまた、メモリ８４４を含む。メモリ８４４は、電子情報を保存することができるいずれの電子コンポーネントであってもよい。メモリ８４４は、ランダムアクセスメモリ（ＲＡＭ）、読み出し専用メモリ（ＲＯＭ）、磁気ディスクストレージ媒体、光学ストレージ媒体、ＲＡＭにおけるフラッシュメモリデバイス、プロセッサと含まれるオンボードメモリ、ＥＰＲＯＭメモリ、ＥＥＰＲＯＭメモリ、レジスタ、など、（それらの組み合わせを含む）として具現化されることができる。
【００５０】
データ８３８および命令８４６は、メモリ８４４において保存されることができる。命令８４６は、ここにおいて開示される方法をインプリメントするように、プロセッサ８４２によって実行可能であることができる。命令８４６を実行することは、メモリ８４４に保存されるデータ８３８の使用を含むことができる。
【００５１】
ワイヤレスデバイス８４０はまた、ワイヤレスデバイス８４０と遠隔ロケーション間で信号の送信および受信を可能にするために、送信機８６８と受信機８７０を含むことができる。送信機８６８と受信機８７０は、トランシーバ８７２と集約的に呼ばれることができる。アンテナ８７４は、トランシーバ８７２に電子的に結合されることができる。ワイヤレスデバイス８４０はまた、複数の送信機、複数の受信機、複数のトランシーバ、及び／または複数のアンテナを含むことができる（図示されず）。
【００５２】
ワイヤレスデバイスの様々なコンポーネントは、１以上のバスによって一緒に結合されることができ、そしてそれは、パワーバス、制御シグナルバス、ステータスシグナルバス、データバス等を含むことができる。明瞭にするために、様々なバスは、バスシステム８７６として図８で図示される。
【００５３】
用語「決定すること(determining)」は広範囲の動作を含んでおり、したがって、「決定すること(determining)」は、計算すること、コンピュートすること、処理すること、導出すること、吟味すること(investigating)、ルックアップすること(looking up)(例、テーブル、データベース、又は別のデータ構造においてルックアップすること )、確かめること(ascertaining)、及び同様なものを含むことができる。また「決定すること」は、受信すること(例、情報を受信すること)、アクセスすること(例、メモリにおいてデータにアクセスすること)、及び同様なものを含むことができる。また、「決定すること」は、解決すること(resolving)、選択すること(selection)、選ぶこと(choosing)、確立すること(establishing)、および同様なものを含むことができる。
【００５４】
フレーズ「に基づいている(based on)」は、明示的に特定されていなければ、「にのみ基づいている(based only on)」を意味していない。言いかえれば、フレーズ「に基づいている(based on)」は、「にのみに基づいている(based only on)」と「に少なくとも基づいている(based at least on)」の両方を説明する。
【００５５】
用語「プロセッサ(processor)」は、汎用プロセッサ、中央処理装置（ＣＰＵ）、マイクロプロセッサ、デジタルシグナルプロセッサ（ＤＳＰ）、コントローラ、マイクロコントローラ、ステートマシンなどを包含するように広く解釈されるべきである。いくつかの環境下では、「プロセッサ(processor)」は特定用途向け集積回路（ＡＳＩＣ）、プログラマブル論理回路（ＰＬＤ）、フィールドプログラマブルゲートアレイ（ＦＰＧＡ）などを指すことができる。用語「プロセッサ(processor)」は、処理デバイスの組み合わせ、例えばＤＳＰとマイクロプロセッサの組み合わせ、複数のマイクロプロセッサ、ＤＳＰコアと併せた１以上のマイクロプロセッサ、またはいずれの他のそのような構成、を指すことができる。
【００５６】
用語「メモリ(memory)」は、電子情報を保存することができるいずれの電子コンポーネントも含むように広く解釈されるべきである。用語メモリは、ランダムアクセスメモリ（ＲＡＭ）、読み出し専用メモリ（ＲＯＭ）、不揮発性ランダムアクセスメモリ（ＮＶＲＡＭ）、プログラマブル読取専用メモリ（ＰＲＯＭ）、消去可能プログラマブル読取専用メモリ（ＥＰＲＯＭ）、電気的消去可能ＰＲＯＭ（ＥＥＰＲＯＭ）、フラッシュメモリ、磁気または光学のデータストレージ、レジスタなどのような様々なタイプのプロセッサ可読媒体を指してもよい。プロセッサがメモリから情報を読み取ることができる及び／またはメモリに対して情報を書き込むことができる場合には、メモリは、プロセッサと電子通信していると言われる。プロセッサに一体化しているメモリは、プロセッサと電子通信している。
【００５７】
用語「命令(instructions)」、「コード(code)」は、いずれのタイプのコンピュータ可読ステートメント(単数または複数)を含むように広く解釈されるべきである。例えば、用語「命令(instructions)」と「コード(code)」は、1以上のプログラム、ルーチン、サブルーチン、機能、プロシージャなどを指すことができる。「命令(instructions)」と「コード(code)」は、単一のコンピュータ可読ステートメントまたは多くのコンピュータ可読ステートメントを備えることができる。用語「命令(instructions)」、「コード(code)」は、ここにおいて、互換性をもって使用されることができる。
【００５８】
ここにおいて記載される機能は、ハードウェア、ソフトウェア、ファームウェアあるいはそれらのいずれかの組み合わせにおいてインプリメントされることができる。ソフトウェアでインプリメントされる場合には、機能は、コンピュータ可読媒体上で、1つまたは複数の命令として、記憶されることができる。「コンピュータ可読媒体(computer-readable medium)」は、コンピュータによってアクセスされることができるいずれの利用可能な媒体を指す。例として、また限定ではないが、コンピュータ可読媒体は、RAM、ROM、EEPROM、CD-ROMあるいは他の光学ディスクストレージ、磁気ディスクストレージあるいは他の磁気ストレージデバイス、あるいは、命令あるいはデータ構造の形態において望まれるプログラムコードを保存あるいは搬送するために使用されることができる、また、コンピュータによってアクセスされることができる、任意の他の媒体も備えることができる。ここにおいて使用されているように、ディスク(disk)とディスク(disc)は、コンパクトディスク(compact disc)(ＣＤ)、レーザーディスク(登録商標)(laser disc)、光学ディスク(optical disc)、デジタル汎用ディスク(digital versatile disc)(ＤＶＤ)、フロッピー(登録商標)ディスク(disk)およびブルーレイディスク(blu-ray disc)を含んでおり、「ディスク(disks)」は、大抵、データを磁気で再生しているが、「ディスク(discs)」は、レーザーで光学的に再生する。
【００５９】
ソフトウェアまたは命令はまた、送信媒体上で送信されることができる。例えば、ソフトウェアがウェブサイト、サーバ、あるいは、同軸ケーブル、光ファイバーケーブル、ツイストペア(twisted pair)、デジタル加入者ライン(digital subscriber line)(ＤＳＬ)、あるいは赤外線、無線、およびマイクロ波のようなワイヤレス技術を使用している他の遠隔ソース、から送信される場合には、そのときには、同軸ケーブル、光ファイバーケーブル、ツイストペア、ＤＳＬ、あるいは赤外線、無線、およびマイクロ波のようなワイヤレス技術は、送信媒体(transmission medium)の定義に含まれている。
【００６０】
ここにおいて開示される方法は、記載される方法を達成するための1以上のステップまたは動作を備える。方法のステップ及び/または動作は、特許請求の範囲から逸脱することなく互いに置き換えられることができる。言いかえれば、ステップまたは動作の具体的な順序が記載されている方法の適切な動作に必要とされない限り、具体的なステップ及び/または動作の順序及び/または使用は、特許請求の範囲から逸脱することなく修正されることができる。
【００６１】
さらに、ここにおいて記載される方法及び技術を実行するためのモジュール及び／または他の適切な手段、例えば図６で図示されているようなものは、ダウンロードされることができる、及び/または、そうでなければ、デバイスによって得られることができる、ということは理解されるべきである。例えば、デバイスは、ここにおいて記載される方法を実行するための手段の移送(transfer)を容易にするためにサーバに結合されることができる。代替的には、ここにおいて記載される様々な方法は、ストレージ手段(例、ランダムアクセスメモリ（ＲＡＭ）、読み出し専用メモリ（ＲＯＭ）、コンパクトディスク（ＣＤ）またはフロッピーディスクのような物理記憶媒体等)を介して提供されることができるので、デバイスは、デバイスにストレージ手段を結合するまたは提供するときに、様々な方法を得ることができる。さらに、デバイスに対してここにおいて記載される方法及び技術を提供するためのいずれの他の適切な技術が利用されることができる。
【００６２】
本願の請求項は、厳密な構成及び上記で図示されるコンポーネントに限定されていないということは理解されるべきである。様々な修正、変更、及び変形は、特許請求の範囲から逸脱することなく、配置、オペレーション、及び、ここにおいて記載されるシステム、方法、及び装置の詳細において行われることができる。
【図１】
0005155455.tif 000002
【図２】
0005155455.tif 000003
【図３】
0005155455.tif 000004
【図４】
0005155455.tif 000005
【図５】
0005155455.tif 000006
【図６】
0005155455.tif 000007
【図７】
0005155455.tif 000008
【図８】
0005155455.tif 000009